(57)【要約】  ＬＥＤランプが、放熱性基部を含む。ＬＥＤランプは、複数のＬＥＤを含むＬＥＤアセンブリをさらに含む。ＬＥＤアセンブリは、放熱性基部と熱連通する。ＬＥＤランプは、ＬＥＤアセンブリを覆って配置され、放熱性基部に結合された電球をさらに含む。ＬＥＤランプは、電球の内部に配置されて、ＬＥＤアセンブリによって発せられた光の一部を実質的に下向き方向に反射するように構成された反射挿入体をさらに含む。【選択図】図１Ｂ
2016518013.tif 000002
【特許請求の範囲】
【請求項１】
ＬＥＤランプであって、
放熱性基部と、
前記放熱性基部と熱連通する、複数のＬＥＤを含むＬＥＤアセンブリと、
前記ＬＥＤアセンブリを覆って配置され、前記放熱性基部に結合された電球と、
前記電球の内部に配置され、前記ＬＥＤアセンブリによって発せられた光の一部を実質的に下向き方向に反射するように構成された反射挿入体と、
を備えることを特徴とするＬＥＤランプ。
【請求項２】
前記反射挿入体は、前記ＬＥＤアセンブリによって発せられた光の一部を通過させる開口部を含む、
請求項１に記載のＬＥＤランプ。
【請求項３】
前記反射挿入体は、実質的に平坦である、
請求項１に記載のＬＥＤランプ。
【請求項４】
前記反射挿入体は、円形である、
請求項１に記載のＬＥＤランプ。
【請求項５】
前記反射挿入体は、前記電球の中心部に配置され、前記反射挿入体の円周は、前記電球の前記中心部の円周と実質的に同じである、
請求項４に記載のＬＥＤランプ。
【請求項６】
前記反射挿入体は、紙を含む、
請求項１に記載のＬＥＤランプ。
【請求項７】
前記反射挿入体は、プラスチックを含む、
請求項１に記載のＬＥＤランプ。
【請求項８】
前記反射挿入体は、反射性コーティングを含む、
請求項１に記載のＬＥＤランプ。
【請求項９】
前記反射挿入体は、前記電球の内部に前記ＬＥＤアセンブリと実質的に平行に配置される、
請求項１に記載のＬＥＤランプ。
【請求項１０】
前記電球は透明である、
請求項１に記載のＬＥＤランプ。
【発明の詳細な説明】
【技術分野】
【０００１】
本開示は、ランプの分野に関する。より具体的には、本開示は、配光を制御したＬＥＤランプに関する。
【背景技術】
【０００２】
白熱電球は、電流が流れることによってフィラメント線が加熱されると発光する。フィラメント線は、電球の中心に位置し、従って、光は、一般に電球の上部に向かう上向き方向及び電球の下部に向かう下向き方向の両方に放射される。白熱電球は、様々な用途で一般的に使用される。しかしながら、白熱電球は、ＬＥＤ電球よりも効率性及び効果が劣る場合があり、従って一般的には、より効率性及び効果に優れたＬＥＤ電球に置き換えられる。
【先行技術文献】
【非特許文献】
【０００３】
【非特許文献１】Ｂｒｙａｎ  Ａ．  Ｇａｒｎｅｒ著、Ａ  Ｄｉｃｔｉｏｎａｒｙ  ｏｆ  Ｍｏｄｅｒｎ  Ｌｅｇａｌ  Ｕｓａｇｅ  ６２４頁  （第２版、１９９５年）
【発明の概要】
【発明が解決しようとする課題】
【０００４】
図１Ａは、既知のＬＥＤランプ例１００の斜視図である。図１Ｂは、図１Ａの既知のＬＥＤランプ例１００の部分的斜視図である。ＬＥＤランプ１００は、基部１０６の上部に位置して電球１０８に覆われたＬＥＤアセンブリ１０２を有する。ＬＥＤアセンブリ１０２は、光を発するためのＬＥＤ１０４を含む。しかしながら、電球１０８の底部では、ＬＥＤアセンブリ１０２が直接基部１０６上に位置するので、ＬＥＤ１０４によって発せられた光は、電球１０８の上部に向かってほぼ上向きに放射される。
【課題を解決するための手段】
【０００５】
ＬＥＤランプが、放熱性基部を含む。ＬＥＤランプは、複数のＬＥＤを含むＬＥＤアセンブリをさらに含む。ＬＥＤアセンブリは、放熱性基部と熱連通する。ＬＥＤランプは、ＬＥＤアセンブリを覆って配置され、放熱性基部に結合された電球をさらに含む。ＬＥＤランプは、電球の内部に配置されて、ＬＥＤアセンブリによって発せられた光の一部を実質的に下向き方向に反射するように構成された反射挿入体をさらに含む。
【０００６】
添付図面には、以下の詳細な説明と共に本教示の例示的な態様を表す構造を示す。同様の構成要素は、同じ参照符号を用いて識別する。単一の構成要素として示す要素は、複数の構成要素に置き換えることができ、複数の構成要素として示す要素は、単一の構成要素に置き換えることができると理解されたい。図面は縮尺通りではなく、要素によっては、説明を目的として比率を誇張しているものもある。
【図面の簡単な説明】
【０００７】
【図１Ａ】既知のＬＥＤランプ例の斜視図である。
【図１Ｂ】図１の既知のＬＥＤランプ連の部分的斜視図である。
【図２Ａ】配光を制御したＬＥＤランプ例の斜視図である。
【図２Ｂ】配光を制御したＬＥＤランプ例の部分的斜視図である。
【図２Ｃ】図２Ａに示す配光を制御したＬＥＤランプ例の上面図である。
【図３Ａ】配光を制御する反射挿入体例の斜視図である。
【図３Ｂ】図３Ａの配光を制御する反射挿入体例の上面図である。
【図３Ｃ】図３Ａの配光を制御する反射挿入体例の側面図である。
【発明を実施するための形態】
【０００８】
図２Ａは、配光を制御したＬＥＤランプ例２００（以下、ＬＥＤランプ２００と呼ぶ）の斜視図である。ＬＥＤランプ２００は、ＬＥＤアセンブリ（図示せず）を支持するとともに、ＬＥＤアセンブリからの熱を抑える放熱性基部２０２を含む。ＬＥＤアセンブリを覆って電球２０４が配置され、放熱性基部２０２に結合される。
【０００９】
放熱性基部２０２は、熱可塑性プラスチック、プラスチック、アルミニウム、又はＬＥＤアセンブリからの熱を消散することができるその他の好適な材料で構成することができる。電球２０４は、ガラス、プラスチック、又は放熱を支援することができるその他の好適な材料で構成することができる。１つの例では、電球２０４が透明である。１つの例では、電球２０４が半透明である。
【００１０】
図２Ｂは、図２Ａに示すＬＥＤランプ例２００の、説明を目的として電球２０４の上部を除去した部分的斜視図である。図２Ｃは、図２Ｂに示すＬＥＤランプ２００の部分的斜視図の上面図である。ランプ２００は、放熱性基部２０２と熱連通するＬＥＤアセンブリ２０６を含む。ＬＥＤアセンブリ２０６は、光を発するためのＬＥＤ２０８を含む。ＬＥＤアセンブリ２０６は、あらゆる数の好適なＬＥＤ２０８を含むことができる。また、ＬＥＤ２０８は、あらゆる好適な色の光を発することができる。
【００１１】
ＬＥＤランプ２００は、発光光の配分を制御するように、電球２０４の内部に反射挿入体２１０を含む。反射挿入体２１０は、ランプ２００が電球２０４の底部を通じて下向き方向に光を放射できるように、発光光の一部を下向き方向に反射する。反射挿入体２１０は、発光光の残り部分を上向き方向に通過させて放射することもできる。従って、ランプ２００は、光を上向き方向及び下向き方向に放射するように構成される。光の配分は、反射挿入体２１０の位置及び構成を変化させることによって制御することができる。
【００１２】
図３Ａは、ＬＥＤランプ２００で使用する反射挿入体例２１０の斜視図である。図３Ｂは、図３Ａの反射挿入体例２１０の上面図である。図３Ｃは、図３Ａの反射挿入体例２１０の側面図である。反射挿入体２１０は丸く、すなわち円形である。１つの例では、反射挿入体２１０の外縁部３０２の円周が、電球２０４の内部の中心部における円周と実質的に同じである。従って、反射挿入体２１０は、電球２０４の内部の中心部において、反射挿入体２１０の外縁部３０２が電球２０４の内部にぴったりとくっつくように位置付けられる。
【００１３】
別の例では、反射挿入体２１０の外縁部３０２の円周が、電球２０４の内部の中心部における円周よりも小さい。従って、反射挿入体２１０は、電球２０４の中心部の下方に滑り落ち、反射挿入体２１０の外縁部３０２が電球２０４のＬＥＤアセンブリ２０６に近い下部において電球２０４の内部にぴったりとくっつくように電球２０４の内部に位置付けることができる。従って、電球２０４内における反射挿入体２１０の位置は、反射挿入体２１０の外縁部３０２の円周によって決まる。反射挿入体２１０の位置を調整すると、電球２０４を通じて配分される光の経路が変化する。例えば、反射挿入体２１０の位置がＬＥＤアセンブリ２０６に近ければ近いほど、電球２０４の底部に向かって下向き方向に反射される光が多くなる。従って、反射挿入体２１０の位置を調整することによって配光を制御することができる。
【００１４】
反射挿入体２１０は、円形開口部３０６を定める内縁部３０４を有する。開口部３０６は、発光光の一部を、反射挿入体２１０を通じて上向きに通過させ、電球２０４の上部から放射することができる。内縁部３０４の円周、すなわち開口部３０６のサイズは、反射されて下向き方向に放射される発光光に比べ、どれほどの発光光を上向き方向に通過させて放射できるかを決定する。従って、発光光の配分を制御するために、開口部３０６を調整することができる。例えば、反射挿入体２０１は、ＬＥＤランプ２００が、発光光の６０％を上向き方向に、発光光の４０％を下向き方向に放射するように開口部３０６を用いて構成することができる。同様に、ＬＥＤランプ２００は、いずれかの好適な割合の発光光を下向き方向に放射するように構成することもできる。
【００１５】
図示のように、反射挿入体２１０は実質的に平坦である。しかしながら、反射挿入体２１０は、光を大まかに下向き方向に反射しやすくするように他の好適な形状を有することもできると理解されたい。例えば、反射挿入体２１０は、凹形、凸形などとすることができる。また、反射挿入体２１０の中心に位置する単一の開口部３０６を示しているが、反射挿入体２１０は、発光光をランプ２０４の上部に向かって上向き方向に通過させるあらゆる好適な場所に位置するあらゆる好適な数の開口部を含むことができると理解されたい。
【００１６】
反射挿入体２１０は、白色紙、白色プラスチック、又は光を反射できる他の好適な色の好適な材料で構成することができる。１つの例では、反射挿入体２１０に反射性塗料が塗布される。
【００１７】
反射挿入体２１０は、ＬＥＤアセンブリ２０６に対して平行位置に存在するように示している。しかしながら、反射挿入体２１０は、発光光の別の配分を促すために別様に位置付けることもできると理解されたい。例えば、反射挿入体２１０は、ＬＥＤアセンブリ２０６（図示せず）に対して４５度の角度で位置付けることができる。従って、ＬＥＤランプ２００は、発光光の一部を大まかに上向き方向に放射し、発光光の残り部分を下向き方向から離れて４５度傾いた方向に放射するように構成することができる。
【００１８】
明細書又は特許請求の範囲において「含む（ｉｎｃｌｕｄｅ又はｉｎｃｌｕｄｉｎｇ）」という用語を使用している場合、この用語は、特許請求の範囲において「備える（ｃｏｍｐｒｉｓｉｎｇ）」という用語を移行部として使用する際に解釈されるように、同様に包括的であることが意図される。さらに、「又は（ｏｒ）」という用語を使用している場合（例えば、Ａ又はＢ）、この用語は、「Ａ又はＢ、或いはこれらの両方」を意味することが意図される。出願人が、「Ａ又はＢの一方のみであって両方ではない」ことを示す意図がある場合には、「ｏｎｌｙ  Ａ  ｏｒ  Ｂ  ｂｕｔ  ｎｏｔ  ｂｏｔｈ」という用語を使用する。従って、本明細書における「又は」という用語の使用は包括的なものであり、排他的なものではない。Ｂｒｙａｎ  Ａ．  Ｇａｒｎｅｒ著、Ａ  Ｄｉｃｔｉｏｎａｒｙ  ｏｆ  Ｍｏｄｅｒｎ  Ｌｅｇａｌ  Ｕｓａｇｅ  ６２４頁  （第２版、１９９５年）を参照されたい。また、明細書又は特許請求の範囲において「〜内（ｉｎ）」又は「〜内に（ｉｎｔｏ）」という用語を使用している場合、この用語は、「〜上（ｏｎ）」又は「〜上に（ｏｎｔｏ）」もさらに意味することが意図される。さらに、明細書又は特許請求の範囲において「接続する（ｃｏｎｎｅｃｔ）」という用語を使用している場合、この用語は、「〜に直接接続される（ｄｉｒｅｃｔｌｙ  ｃｏｎｎｅｃｔｅｄ  ｔｏ）」だけでなく、別の１又は複数の構成要素を介した接続などの「〜に間接的に接続される（ｉｎｄｉｒｅｃｔｌｙ  ｃｏｎｎｅｃｔｅｄ  ｔｏ）」も意味することが意図される。
【００１９】
本開示の態様例を説明することによって本出願を図示し、この態様例についてかなり詳細に説明したが、添付の特許請求の範囲をこのような詳細に制限又は多少なりとも限定することは出願人の意図ではない。当業者には、さらなる利点及び修正が容易に想起されるであろう。よって、本出願は、そのさらに広い態様において、図示し及び説明した特定の詳細、代表的な装置及び方法、並びに説明例に限定されるものではない。従って、出願人の全体的発明概念の思想又は範囲から逸脱することなく、このような詳細から逸脱することができる。
【符号の説明】
【００２０】
１００  ＬＥＤランプ
１０２  ＬＥＤアセンブリ
１０４  ＬＥＤ
【図１Ａ】
2016518013.tif 000003
【図１Ｂ】
2016518013.tif 000004
【図２Ａ】
2016518013.tif 000005
【図２Ｂ】
2016518013.tif 000006
【図２Ｃ】
2016518013.tif 000007
【図３Ａ】
2016518013.tif 000008
【図３Ｂ】
2016518013.tif 000009
【図３Ｃ】
2016518013.tif 000010
【国際調査報告】
2016518013.tif 000011